(57)【要約】【目的】簡易な構造の工具ホルダーでありながら、位置合わせを必要とせずに、工具を保持させることを可能とする。【構成】本体の一部から伸びる連結部を介して被支持部を備える工具を、隙間をあけて隣接する移動部材と支持部材からなる工具ホルダーに対して進入させると、回転機構を有している移動部材と支持部材が工具進入方向へ回動される。被支持部が移動部材と支持部材の板厚部を通過すると、移動部材と支持部材は弾性体によって初期位置の方向へ付勢され、移動する。その後、移動部材及び支持部材と工具の被支持部が係止するため、工具は工具ホルダーに保持される。【選択図】        図１
2016043437.tif 000002
【特許請求の範囲】
【請求項１】
工具本体の一部から伸びる連結部を介して被支持部を備え、連結部における長手方向の断面の幅は被支持部の断面の幅よりも小さい工具を支持する工具ホルダーであって、隙間をあけて隣接する移動部材と支持部材からなり、工具保持時における移動部材と支持部材の間の隙間は前記被支持部の幅よりも小さく、前記移動部材は、支持部材との間の隣接方向と垂直な方向であり、かつ、保持時に工具が存在する前側から、前記工具が進入する際に、前記工具と接触しつつ回転移動もしくはスライド移動するものであって、前記工具の保持時には、前記移動部材および前記支持部材の前側に工具の本体を、前記移動部材および前記支持部材の前側と前記移動部材および前記支持部材を挟んで反対となる後側に前記工具の被支持部を位置させ、前記移動部材と前記支持部材の間の隙間に前記工具の連結部を位置させ、前記支持部材は、前記工具の保持時に、後側にて前記被支持部と接触して前記移動部材とともに工具を支持する工具ホルダー。
【請求項２】
前記移動部材は、第一回転機構を有し、回転移動もしくはスライド移動した移動位置と前記工具を保持している保持位置間で回動するとともに、前記工具の保持時に、前側への回動を規制する第一規制機構を有する請求項１に記載した工具ホルダー。
【請求項３】
前記支持部材は、第二回転機構を有し、前記移動部材における前記保持位置であり、前記移動部材と隣接する位置において前側への回動を規制する第二規制機構を有する請求項１に記載した工具ホルダー。
【請求項４】
前記移動部材および前記支持部材の少なくとも一方は、前記隣接方向に垂直な方向を面方向とする板状の部材である請求項１に記載した工具ホルダー。
【請求項５】
前記工具の保持時において、前記工具の本体は前記被支持部より下方にて前記移動部材もしくは前記支持部材の少なくとも一方に接触しているものである請求項１に記載した工具ホルダー。
【発明の詳細な説明】
【技術分野】
【０００１】
本発明は、工具不使用時に工具を保持させるために使用するホルダーに関するものである。
【背景技術】
【０００２】
図６に示す従来の工具ホルダーは、工具を保持する際に使用されるものであり、貫通孔である工具挿入穴２１に工具を挿入し、孔周辺の切り込みからなる肩部２２によって工具を支持するように構成されている（特許文献１）。しかしながら、特許文献１の工具ホルダーでは、工具を保持させる際に、工具挿入穴への位置合わせが必要であり、作業に時間を要するといった問題が生じていた。
【特許文献１】特開２００８−１４２８３８
【発明の開示】
【発明が解決しようとする課題】
【０００３】
本発明においては、簡易な構造でありながら、位置合わせを必要とせずに、工具を工具ホルダーに保持させることを可能とする。
【課題を解決するための手段】
【０００４】
前記目的を達成すべく請求項１に記載した本発明は、工具本体の一部から伸びる連結部を介して被支持部を備え、連結部における長手方向の断面の幅は被支持部の断面の幅よりも小さい工具を支持する工具ホルダーであって、隙間をあけて隣接する移動部材と支持部材からなり、工具保持時における移動部材と支持部材の間の隙間は前記被支持部の幅よりも小さく、前記移動部材は、支持部材との間の隣接方向と垂直な方向であり、かつ、保持時に工具が存在する前側から、前記工具が進入する際に、前記工具と接触しつつ回転移動もしくはスライド移動するものであって、前記工具の保持時には、前記移動部材および前記支持部材の前側に工具の本体を、前記移動部材および前記支持部材の前側と前記移動部材および前記支持部材を挟んで反対となる後側に前記工具の被支持部を位置させ、前記移動部材と前記支持部材の間の隙間に前記工具の連結部を位置させ、前記支持部材は、前記工具の保持時に、後側にて前記被支持部と接触して前記移動部材とともに工具を支持する工具ホルダーである。
【０００５】
また、前記目的を達成すべく請求項２に記載した本発明は、請求項１に記載した工具ホルダーにおいて、前記移動部材は、第一回転機構を有し、回転移動もしくはスライド移動した移動位置と前記工具を保持している保持位置間で回動するとともに、前記工具の保持時に、前側への回動を規制する第一規制機構を有するものである。
【０００６】
次に、前記目的を達成すべく請求項３に記載した本発明は、請求項１に記載した工具ホルダーにおいて、前記支持部材は、第二回転機構を有し、前記移動部材における前記保持位置であり、前記移動部材と隣接する位置において前側への回動を規制する第二規制機構を有するものである。
【０００７】
さらに、前記目的を達成すべく請求項４に記載した本発明は、請求項１に記載した工具ホルダーにおいて、前記移動部材および前記支持部材の少なくとも一方は、前記隣接方向に垂直な方向を面方向とする板状の部材である。
【０００８】
また、前記目的を達成すべく請求項５に記載した本発明は、請求項１に記載した工具ホルダーであり、前記工具の保持時において、前記工具の本体は前記被支持部より下方にて前記移動部材もしくは前記支持部材の少なくとも一方に接触しているものである。
【発明の効果】
【０００９】
＜請求項１の発明＞
請求項１に記載の本発明における工具ホルダーによれば、工具を保持させる際に工具挿入部に対する工具の位置合わせを必要としないため、作業時間を要さずに工具を保持させることが可能となる。
【００１０】
＜請求項２の発明＞
請求項２に記載の本発明における工具ホルダーにおいて、移動部材が第一回転機構を有していることにより、工具を移動部材に当接させた段階からさらに挿入方向へ押し込むと移動部材を初期位置から移動位置まで移動させ、工具を工具ホルダー内に進入させることができる。工具進入後、移動部材は第一回転機構によって移動位置から保持位置である初期位置に向かって回動され、保持位置への回動が完了すると工具を保持させることが可能となる。また、第一規制機構を有していることにより、移動部材の回動を所定の位置で停止させることができる。
【００１１】
＜請求項３の発明＞
請求項３に記載の本発明における工具ホルダーにおいて、支持部材が第二回転機構を有していることにより、工具を支持部材に当接させた段階からさらに挿入方向へ押し込むと支持部材を初期位置から移動位置まで移動させ、工具を工具ホルダー内に進入させることができる。工具進入後、支持部材は第二回転機構によって移動位置から保持位置である初期位置に向かって回動され、保持位置への回動が完了すると工具を保持することが可能となる。また、第二規制機構を有していることにより、支持部材の回動を所定の位置で停止させることができる。
【００１２】
＜請求項４の発明＞
請求項４に記載の本発明における工具ホルダーによれば、面方向を移動部材及び支持部材の隣接方向と垂直とし、さらに移動部材及び支持部材の少なくとも一方を板状部材とすることで、工具を面に対して進入させるため、工具挿入穴等への進入と比較して位置合わせが容易となり、作業性を向上させることができる。
【００１３】
＜請求項５の発明＞
請求項５に記載の本発明による工具ホルダーによれば、工具本体が被支持部より下方にて移動部材または支持部材の少なくとも一方に接触しているため、工具ホルダーが工具を被支持部と接触部の２点で保持することができる。工具保持時に工具が工具ホルダーと接触して、移動部材または支持部材に与える力の向きは、被支持部では後側から移動部材または支持部材に対してであり、接触部では前側から移動部材または支持部材に対してであるため、作用・反作用の法則より、工具保持時の工具の揺動を防止することが可能となる。
【発明を実施するための最良の形態】
【００１４】
以下、本発明の実施の形態について説明する。
【００１５】
図１に本発明の工具ホルダー（１）の一例を示す。図１は、工具ホルダー（１）の概略図である。なお、図１において、移動部材（５）及び支持部材（６）に対して工具（２）が位置する側（紙面下側）を前側とし、工具（２）に対して移動部材（５）及び支持部材（６）が位置する側（紙面上側）を後側とする。移動部材（５）及び支持部材（６）は所定の位置よりも前側に回動することがないように、それぞれ第一規制機構（９）及び第二規制機構（１０）によってその回動が制限されている。連結部（３）を介して被支持部（４）を備える工具（２）を、隣接している移動部材（５）と支持部材（６）の隙間（１２）に対して、まず被支持部（４）が当接するように前側から進入させると、当接した移動部材（５）と支持部材（６）はそれぞれ回転機構（７，８）を有しているため、後側へ回動する。やがて、被支持部（４）が移動部材（５）及び支持部材（６）の隙間（１２）を通過すると、移動部材（５）及び支持部材（６）が弾性体（１１）により前側へ付勢され、回動し始める。その後、工具（２）の自重により被支持部（４）が移動部材（５）及び支持部材（６）に当接することによって、工具（２）の保持作業が完了する。また、移動部材（５）及び支持部材（６）は、弾性体（１１）によって前側に付勢されるが、第一規制機構（９）及び第二規制機構（１０）によって回動範囲が制限されるため、所定の隙間（１２）を有する位置よりも回動することはない。そのため、工具（２）と移動部材（５）及び支持部材（６）の当接がより確実に行われる。
本実施例において、回転機構（７，８）は移動部材（５）及び支持部材（６）にそれぞれ取り付けられているが、どちらか一方のみに取り付けられていてもよい。また、工具（２）進入後の移動部材（５）及び支持部材（６）の前側への回動が、工具（２）の自重により可能である場合は、弾性体（１１）が取り付けられていなくてもよい。
【００１６】
図２は工具（２）を工具ホルダー（１）から取り外す際の概略図である。保持状態にある工具（２）を、作業者が移動部材（５）及び支持部材（６）の長手方向である取出し方向にスライドさせると、連結部（３）が移動部材（５）と支持部材（６）の隙間（１２）にてスライド移動される。連結部（３）が移動部材（５）と支持部材（６）の隙間（１２）を通過すると、被支持部（４）と移動部材（５）及び支持部材（６）との当接がなくなり、保持状態が解除される。
【００１７】
次に、本発明の第二の実施形態について図３、図４、図５を用いて説明する。なお、第二の実施形態についても、移動部材（５）及び支持部材（６）に対して工具（２）が位置する側（紙面右側）を前側とし、その逆を後側として、以下の説明を行う。
【００１８】
本発明における第二の実施形態は、第一の実施形態と工具ホルダー（１）の形成方法及び工具（２）の保持姿勢の点で異なる。図３は、第二の実施形態における工具ホルダー（１）の概略図である。工具ホルダー（１）は、移動部材（５）及び支持部材（６）の長手方向が略鉛直方向を向くようにして形成されており、その他の点では第一の実施形態と同じ機構である。工具（２）を隣接する移動部材（５）と支持部材（６）の隙間（１２）に対して、被支持部（４）が当接するように前側から進入させると、移動部材（５）及び支持部材（６）がそれぞれの回転機構（７，８）によって後側に回動する。やがて、被支持部（４）が移動部材（５）と支持部材（６）の隙間（１２）を通過すると、移動部材（５）及び支持部材（６）は弾性体（１１）によって前側に回動する力が付勢され、回動する。その後、第一規制機構（９）及び第二規制機構（１０）が移動部材（５）及び支持部材（６）と当接するため、所定の位置において前側への回動を停止することが可能となる。回動停止後、図４に示すようにして保持される。図４は、工具保持時における工具ホルダー（１）に対して工具（２）を保持した状態での側面図である。工具（２）は、被支持部（４）が当接部Ａにおいて後側から移動部材（５）及び支持部材（６）に対して作用している力と、工具（２）の被支持部（４）及び連結部（３）よりも下方における一部が当接部Ｂにおいて前側から移動部材（５）及び支持部材（６）に対して作用している力とによって、保持されている。
本例において、回転機構（７，８）は移動部材（５）と支持部材（６）にそれぞれ取り付けられているが、どちらか一方のみに取り付けられていてもよい。
【００１９】
図５は本発明の第二実施形態において、工具（２）を工具ホルダー（１）から取り出す際の側面図である。工具（２）を鉛直方向上側である取出し方向に持ち上げて、連結部（３）を移動部材（５）と支持部材（６）の隙間（１２）を鉛直方向上側に移動させると、やがて被支持部（４）と移動部材（５）及び支持部材（６）との当接が解除される。その後、工具（２）を前側に移動させると、保持状態が解除される。
【００２０】
以上本発明における実施の形態を記したが、本発明は前述した実施形態のみに限定されるものではない。
【００２１】
例えば、本発明においては、移動部材（５）及び支持部材（６）の移動は回転移動だけでなく、スライド移動としてもよい。
【００２２】
工具（２）の進入は、移動部材（５）及び支持部材（６）の隣接方向と垂直な方向だけでなく、隣接方向に対して斜め方向から行ってもよい。
【図面の簡単な説明】
【００２３】
【図１】工具（２）を工具ホルダー（１）に進入させている状態を示す概略図
【図２】工具（２）を工具ホルダー（１）から取り外す際の概略図
【図３】本発明の第二の実施形態における、工具（２）を工具ホルダー（１）に進入させている状態を示す概略図
【図４】本発明の第二の実施形態における、工具（２）保持状態を示す側面図
【図５】本発明の第二の実施形態における、工具（２）を工具ホルダー（１）から取り外す際の側面図
【図６】従来の工具ホルダーでの工具保持時の状態を示した図
【符号の説明】
【００２４】
１  工具ホルダー
２  工具（本体）
３  連結部
４  被支持部
５  移動部材
６  支持部材
７  第一回転機構
８  第二回転機構
９  第一規制機構
１０  第二規制機構
１１  弾性体
１２  隙間
２１  工具挿入穴
２２  肩部
【図６】
2016043437.tif 000003
【図１】
2016043437.tif 000004
【図２】
2016043437.tif 000005
【図３】
2016043437.tif 000006
【図４】
2016043437.tif 000007
【図５】
2016043437.tif 000008